(57)【特許請求の範囲】
【請求項１】
ＣＲＴ画面上での画像パターンの出画位置を調整する調整法であって、
幅調整用パターンを前記ＣＲＴ画面上に出画させ、この幅調整用パターンの第１方向の幅が所定幅になるように、かつ、この幅調整用パターンと前記ＣＲＴ画面縁との第１方向の間隔が等しくなるように、この幅調整用パターンの出画幅と出画位置とを調整し、その状態でセンタリング用パターンを出画させて、このセンターリング用パターンの第１方向の計測位置をターゲットの第１方向位置として用いることを特徴とするＣＲＴ出画位置の調整法。
【請求項２】
請求項１に記載のＣＲＴ出画位置の調整法において、
更に、前記第１方向に直交する第２方向について得たセンターリング用パターンの第２方向の計測位置をターゲットの第２方向位置として用いることを特徴とするＣＲＴ出画位置の調整法。
【請求項３】
請求項１または２のいずれかに記載のＣＲＴ出画位置の調整法において、
前記ＣＲＴ画面が矩形形状であって、前記第１方向が、この矩形形状の上下方向あるいは左右方向であることを特徴とするＣＲＴ出画位置の調整法。
【請求項４】
請求項１から３のいずれかに記載のＣＲＴ出画位置の調整法において、
更に、少なくとも２枚のセンタリングマグネットを備え、これらのセンタリングマグネットを回転させることによりＣＲＴ画面上での前記幅調整用パターンの出画位置を調整するようにしていることを特徴とするＣＲＴ出画位置の調整法。
【請求項５】
ＣＲＴ画面上の画像パターンの出画位置を移動させる画像移動手段を設けたＣＲＴを着脱交換可能に取り付ける固定部と、この固定部に前記ＣＲＴを固定した状態で前記画像移動手段を操作して前記ＣＲＴ画面上の画像パターンの出画位置を移動させる調整移動装置とを有した調整台と、
前記ＣＲＴに所定の画像パターンを表示させるための画像信号を生成するパターン生成部と、前記ＣＲＴ画面に対向して設けられ、そのＣＲＴ画面を撮影するテレビカメラと、前記テレビカメラから出力される画像情報に基づいて少なくとも前記画像パターンの出画位置を求める画像処理部と、
前記画像処理部の出力に基づいて前記パターン生成部及び前記調整移動装置に対して制御信号を出力するコントローラとを備え、
前記ＣＲＴ画面の画像情報に基づいて前記調整移動手段を操作して画像パターンの出画位置を調整する自動調整装置であって、
幅調整用パターンを前記ＣＲＴ画面上に出画させ、この幅調整用パターンの第１方向の幅が所定幅になるように、かつ、この幅調整用パターンと前記ＣＲＴ画面縁との第１方向の間隔が等しくなるように、この幅調整用パターンの出画幅と出画位置とを調整し、その状態でセンタリング用パターンを出画させて、このセンターリング用パターンの第１方向の計測位置をターゲットの第１方向位置として用いることを特徴とするＣＲＴ出画位置の自動調整装置。
【請求項６】
請求項５に記載のＣＲＴ出画位置の自動調整装置において、
更に、前記第１方向に直交する第２方向について得たセンターリング用パターンの第２方向の計測位置をターゲットの第２方向位置として用いることを特徴とするＣＲＴ出画位置の自動調整装置。
【請求項７】
請求項５または６のいずれかに記載のＣＲＴ出画位置の自動調整装置において、
前記ＣＲＴ画面が矩形形状であって、前記第１方向が、この矩形形状の上下方向あるいは左右方向であることを特徴とするＣＲＴ出画位置の自動調整装置。
【請求項８】
請求項５から７のいずれかに記載のＣＲＴ出画位置の自動調整装置において、
更に、前記ＣＲＴは前記画像移動手段として少なくとも２枚のセンタリングマグネットを備え、前記調整移動装置は前記固定部に前記ＣＲＴを固定した状態で前記センタリングマグネットを回転させることによりＣＲＴ画面上での前記幅調整用パターン、前記センターリング用パターンの出画位置を調整するようにしていることを特徴とするＣＲＴ出画位置の自動調整装置。
【発明の詳細な説明】
【０００１】
【発明の属する技術分野】
本発明は、ＣＲＴ（陰極線管）又はＣＲＴを備えた装置の製造行程において、センタリングマグネットなどの画像移動手段を用いて、ＣＲＴ画面に表示される画像がその画面に均等に表示されるように調整する調整法及び自動調整装置に関する。
【０００２】
【従来の技術】
ＣＲＴには、一般に、特性的バラツキがあり、出画位置（画像パターンが表示されるＣＲＴ画面上の位置）にもバラツキが生ずるため、画像パターンを出画し、この画像パターンの中心をＣＲＴ画面、即ち、蛍光面の中心、つまりターゲットに一致させて、画像パターンがＣＲＴ画面に均等に表示されるように調整が必要となる。
【０００３】
このため、この種のＣＲＴは、図９に示したように、そのネック部に取り付けられる偏向ヨークＹが、画像移動手段としてセンタリングマグネットＭａ、Ｍｂなどを備え、このセンタリングマグネットＭａ、Ｍｂによって出画位置の調整が行われている。なお、図示したＣＲＴは、偏平ブラウン管と呼ばれるものであるが、偏平型でない通常のブラウン管や、画面が円形形状のブラウン管などにおいても同様である。
【０００４】
上記センタリングマグネットＭａ、Ｍｂは、回転可能に取り付けられた２枚の薄板マグネットであり、それぞれのセンタリングマグネットＭａ、Ｍｂを一体として、あるいは独立に回転させることにより、２枚のマグネットＭａ、Ｍｂにより形成される合成磁場の方向及び大きさを変化させることができる。
【０００５】
図１０は偏平ブラウン管内の電子ビームの動きを模式的に表したものであり、電子ビームが、センタリングマグネットＭａ、Ｍｂの合成磁場を通って、ＣＲＴ画面へ到達し、ＣＲＴ画面上で可視光に変換されて画像表示を行う様子を示したものである。
【０００６】
ＣＲＴの電子ビームがこの合成磁場を通過する際には、フレミングの左手の法則に従って、電子ビームにローレンツ力が作用する。このため、上記合成磁場の方向及び大きさを調整し、電子ビームの軌道を偏向させることによって、画像をＣＲＴ画面上の適切な位置に出画させることができる。即ち、ＣＲＴの特性的な出画位置のバラツキを補正することができる。
【０００７】
図１１及び図１２は、ブラウン管内の電子ビームが、センタリングマグネットＭａ、Ｍｂの合成磁場ベクトルＭの影響を受けることにより、ＣＲＴ画面上の画像に合ベクトルＶ′、Ｖが作用している様子を示したものである。
【０００８】
図１１の画面Ｆ′は、通常のブラウン管におけるＣＲＴ画面であり、電子ビームの進行方向が、その画面Ｆ′に対する垂線となるように配置されている。一方、画面Ｆは、偏平ブラウン管におけるＣＲＴ画面であり、画面Ｆ′とθの角をなすように配置され、電子ビームの進行方向と画面Ｆの垂線方向とはθの角をなしている。
【０００９】
このため、センタリングマグネットの合成磁場ベクトルＭの方向が、図示したような方向であれば、ローレンツ力によって、通常のブラウン管の場合には、画面Ｆ′上に合ベクトルＶ′が作用することになる一方、偏平ブラウン管の場合には、合ベクトルＶ′を画面Ｆ上に投影した合ベクトルＶが作用することになる。
【００１０】
ここで、合ベクトルＶ′と合ベクトルＶとは、ｘ軸方向の成分は同じであるが、合ベクトルＶのｙ軸方向の成分は、合ベクトルＶ′のｙ′軸方向の成分の１／ｃｏｓθ倍である。即ち、合ベクトルＶのｙ軸方向の成分と、合ベクトルＶ′のｙ′軸方向の成分とは一致せず、その関係は傾きθによって決まる。
【００１１】
図１２は、図１１において黒太矢印の方向から見た図であり、Ｖ′のｙ′方向成分と、Ｖのｙ方向成分との関係を表したものである。これより、合成磁場ベクトルＭの方向とローレンツ力によるベクトルＶ′の方向は、９０度の角度を保つこと、したがって合成磁場ベクトルＭの方向とベクトルＶの方向も、傾きθの影響は受けるが、一定の角度を保つことも解る。
【００１２】
また、センタリングマグネットを回転させた場合に、通常のブラウン管の場合であれば、合ベクトルＶ′の軌跡は円を描くが、偏平ブラウン管の場合には、合ベクトルＶの軌跡は楕円軌跡を描くことになる。
【００１３】
このような原理を利用して、ＣＲＴ又はＣＲＴを備えた製品の製造工程において、ＣＲＴ画面上に画像パターンを出画させ、作業者が、このパターンを見ながら、ドライバー等を用いて手動によりセンタリングマグネットＭａ、Ｍｂを回転させて、出画位置を調整していた。
【００１４】
ところが、一方のセンタリングマグネットのみを動かすだけでは、画像パターンをＣＲＴ画面の任意の位置に動かすことはできず、２つのセンタリングマグネットの合成磁場によって画像パターンの出画位置を決めるため、それらのセンタリングマグネットを相対的に動かして調整しなければならない。
【００１５】
このため、作業者が、出画された画像パターンを見ながら、２枚のセンタリングマグネットを動かして、ＣＲＴ画面上での出画位置を調整することは容易ではなく、その作業には、かなりの熟練が必要とされていた。
【００１６】
本出願人は、この問題を解決し、画像パターンの出画位置の調整を熟練を要することなく、効率よく行うため、種々の調整法を提案している。
【００１７】
特開平９−３２０４７３号公報において提案した調整法は、二つのセンタリングマグネットＭａ、Ｍｂの内、マグネットＭａだけを回転させたときの画像パターンの動き、次いで、マグネットＭｂだけを回転させたときの画像パターンの動きなどから、マグネットＭａ、Ｍｂの回転と画像パターンの動きの間に一定の規則性を見出し、もって、ＣＲＴ画面上において画像パターンに作用しているベクトルの方向をターゲットの方向と一致させた後に、このベクトルの大きさを調節することによって、画像パターンの出画位置をターゲットに一致させるもので、従前のものに比べ、正確に画像パターンをターゲットに一致させることができるものであった。
【００１８】
特開平１０−２４７０７１号公報で提案した調整法は、上記の方法をさらに改良し、二つのセンタリングマグネットＭａ、Ｍｂを共に一回転させたときに、画像パターンが形成する楕円軌跡の楕円中心を求め、これとターゲットを結ぶ直線の方向に、センタリングマグネットの合ベクトル方向を一致させて、ついで合ベクトルの大きさを調整して、画像パターンをターゲットに一致させるもので、ターゲットへの方向をより正確に得ることができた。
【００１９】
特開平１０−２４７０７０号公報で提案した調整法は、上記後者の方法を更に改良し、得られた合ベクトルを起点として、画像パターンをターゲットに一致させるのに、合ベクトル振らせながら近づけることを特徴とするもので、センタリングマグネットの磁気特性が異なる場合でも、より効率よく画像パターンの出画位置の調整をすることができるものであった。
【００２０】
【発明が解決しようとする課題】
しかしながら、上記従来の方法では、画像パターンの出画ゲインにバラツキがある場合に対応することができなかった。
【００２１】
図１３は、その状況を説明する概念図で、（ａ）はＣＲＴ画面上のターゲットの位置、（ｂ）は設計上の画像パターン、（ｃ）はＣＲＴ画面に表示したときの画像パターン、（ｄ）はセンタリング用パターンをターゲットに一致させたときの画像パターンのＣＲＴ画面上の表示状態をそれぞれ示すものである。
【００２２】
図１３（ａ）において、画面Ｆの横方向に座標ｘ、縦方向に座標ｙを取り、その横幅をｘ０、縦幅をｙ０、この画面Ｆの中心をターゲットＴとし、このターゲットＴの画面Ｆ上の位置をＴ（ｘ、ｙ）で示している。
【００２３】
この場合、このターゲットＴの位置は、図示するように  ｘ  ＝  ｘ０／２  ＋  α、  ｙ  ＝  ｙ０／２  ＋  β  という値としている。ここで、α、βは、それぞれ経験的に得られ、固定的に定まる、あるいは、画面サイズから算出されるオフセット値であって、画像パターンの出画ゲインにバラツキがない場合には、これらオフセット値によって定まるターゲットＴ（ｘ、ｙ）に、センタリング用パターンが表示されるように調整すると、画像パターンがＣＲＴ画面上に均等に表示されるものである。
【００２４】
図１３（ｂ）のＰ０は設計上の画像パターンであって、これを縮小していくと図に示すような設計上のセンタリング用パターンＣ０となり、拡大すると元に戻る。この場合、設計上は、画像パターンＰ０を縮小して生成されるセンタリング用パターンＣ０は、図に示す横方向寸法ａ、ｂ、縦方向寸法ｃ、ｄがそれぞれ等しくなるように、つまり、ａ  ＝  ｂ、  ｃ  ＝  ｄ  となるように等しい割合で縮小され、また、もとの大きさに復元されるものである。
【００２５】
このセンタリング用パターンは、画像パターンの中心を示すものであり、このセンタリング用パターンをＣＲＴ画面ＦのターゲットＴに一致させる事で、画像パターンがＣＲＴ画面上に均等に表示されるように調整している。
【００２６】
しかしながら、上述したようにこの縮小、拡大のための出画ゲインは、ＣＲＴによって、また方向ごとに、バラツキのあるもので、図１３（ｃ）に示すように、ＣＲＴ画面Ｆに表示させた場合の画像パターンＰＡとセンタリング用パターンＣＡの関係は、横方向寸法ａ′、ｂ′、縦方向寸法ｃ′、ｄ′がそれぞれ等しくならない場合がある。
【００２７】
従って、図１３（ｄ）に示すように、ＣＲＴ画面Ｆ上で、上述の様々な改善されたＣＲＴ出画位置の調整法を用いて、センタリング用パターンＣＡの出画位置をターゲットＴになるように調整しても、実際の出画パターンＰＡは、ＣＲＴ画面Ｆ上で均等に表示されないことがあった。
【００２８】
本発明は、上記の事情に鑑みてなされたもので、ＣＲＴ画面への出画ゲインにバラツキがある場合でも、画像パターンがＣＲＴ画面に均等に表示されるように簡単に調整することができるＣＲＴ出画位置の調整法と自動調整装置を提供することを目的とする。
【００２９】
【課題を解決するための手段】
請求項１に記載のＣＲＴ出画位置の調整法は、ＣＲＴ画面上での画像パターンの出画位置を調整する調整法であって、幅調整用パターンを前記ＣＲＴ画面上に出画させ、この幅調整用パターンの第１方向の幅が所定幅になるように、かつ、この幅調整用パターンと前記ＣＲＴ画面縁との第１方向の間隔が等しくなるように、この幅調整用パターンの出画幅と出画位置とを調整し、その状態でセンタリング用パターンを出画させて、このセンターリング用パターンの第１方向の計測位置をターゲットの第１方向位置として用いることを特徴とする。
【００３０】
ここで、ＣＲＴとは、陰極線管（ｃａｔｈｏｄｅ−ｒａｙ  ｔｕｂｅ）を意味し、偏平ブラウン管及び偏平型でない通常のブラウン管、及び、ＣＲＴ画面が矩形でない、例えば、円形形状のブラウン管などを含むものである。
【００３１】
この調整法は、センターリング用パターンをＣＲＴ画面のターゲットに一致させる調整を行う前に、実際にＣＲＴ画面上に出画されるセンターリング用パターンと画像パターンの間の出画ゲインのバラツキの調整を行うものである。
【００３２】
ここでは、まず、ＣＲＴ画面上の第１方向、これは、上下でも、左右でも、また、ＣＲＴの形状や使用態様によっては、どの方向であっても良いが、所定の一方向についての出画ゲインのバラツキの調整を、ＣＲＴ画面より適度に小さい幅調整用パターンを出画させて、この大きさがまず所定の大きさになるようにして出画ゲインを調整して、次いで、その幅調整用パターンとＣＲＴ画面縁との間の第１方向の隙間が等しくなるように、幅調整用パターンの位置を調整し、この状態で、幅調整用パターンを縮小してセンターリング用パターンを表示させ、このセンターリング用パターンの位置を測定して、その測定位置を、ターゲットの第１方向位置としている。
【００３３】
このようにすると、出画ゲインのバラツキを取り込んだターゲットの第１位方向位置が得られ、この位置にセンターリング用パターンを一致させるように調整すれば、画像パターンは、この第１方向については、ＣＲＴ画面上に均等に表示される。
【００３４】
また、この方法において、幅調整用パターンの大きさを所定の大きさにするのは、出画ゲインのバラツキの影響がどのＣＲＴの調整の場合にも等しく現れるようにして、調整の均一性を保つためである。更に、幅調整用パターンの位置を調整後、その位置でセンターリング用パターンを表示させ、その位置を測定しているのは、後述するように、この調整を自動的にできるようにするためである。
【００３５】
なお、この調整法のように、一回の調整において一方向だけの調整を行うようにすると、調整が簡単にできる。
【００３６】
請求項２に記載のＣＲＴ出画位置の調整法は、請求項１に記載のＣＲＴ出画位置の調整法において、更に、前記第１方向に直交する第２方向について得たセンターリング用パターンの第２方向の計測位置をターゲットの第２方向位置として用いることを特徴とする。
【００３７】
この調整法は、請求項１の調整法で得られたターゲットの第１方向位置に加えて、この第１方向に直交する第２方向についても同様にしてターゲットの第１方向位置を求めるものである。ＣＲＴ画面は、通常平面であるので、このように互いに直交する方向の出画ゲインのバラツキの調整ができれば、センターリング用パターンをターゲットに一致させることで、画像パターンは、ＣＲＴ画面上に均等に表示されるようになる。
【００３８】
また、第１方向と第２方向は互いに直交しているので、第１方向の調整が済んだ状態で、第１方向に影響を与えずに、第２方向の調整だけを行うことができ、調整が簡単である。
【００３９】
請求項３に記載のＣＲＴ出画位置の調整法は、請求項１または２のいずれかに記載のＣＲＴ出画位置の調整法において、前記ＣＲＴ画面が矩形形状であって、前記第１方向が、この矩形形状の上下方向あるいは左右方向であることを特徴とする。
【００４０】
この調整法は、第１方向をＣＲＴ画面の矩形形状に合わせて具体的に規定したもので、第１方向が上下方向であれば、必然的に第２方向は左右方向となり、また、第１方向が左右方向であれば、必然的に第２方向は上下方向となる。
【００４１】
請求項４に記載のＣＲＴ出画位置の調整法は、請求項１から３のいずれかに記載のＣＲＴ出画位置の調整法において、更に、少なくとも２枚のセンタリングマグネットを備え、これらのセンタリングマグネットを回転させることによりＣＲＴ画面上での前記幅調整用パターンの出画位置を調整するようにしていることを特徴とする。
【００４２】
この調整法は、画像パターンの出画位置を移動させる具体的方法として、２枚のセンタリングマグネットを規定したものである。センタリングマグネットは、通常のＣＲＴにおいて一般的に用いられるもので、このような場合にも、本発明の調整法は、同様に効果を発揮する。
【００４３】
なお、画像パターンの出画位置を移動させる具体的方法としては、これに限らず、この出画位置を第１方向と第２方向について独立に移動させることのできるものであれば何でもよい。また、センタリングマグネットの場合であっても、２枚だけでなく、２枚以上用いるものであってもよい。
【００４４】
請求項５に記載のＣＲＴ出画位置の自動調整装置は、ＣＲＴ画面上の画像パターンの出画位置を移動させる画像移動手段を設けたＣＲＴを着脱交換可能に取り付ける固定部と、この固定部に前記ＣＲＴを固定した状態で前記画像移動手段を操作して前記ＣＲＴ画面上の画像パターンの出画位置を移動させる調整移動装置とを有した調整台と、前記ＣＲＴに所定の画像パターンを表示させるための画像信号を生成するパターン生成部と、前記ＣＲＴ画面に対向して設けられ、そのＣＲＴ画面を撮影するテレビカメラと、前記テレビカメラから出力される画像情報に基づいて少なくとも前記画像パターンの出画位置を求める画像処理部と、前記画像処理部の出力に基づいて前記パターン生成部及び前記調整移動装置に対して制御信号を出力するコントローラとを備え、前記ＣＲＴ画面の画像情報に基づいて前記調整移動手段を操作して画像パターンの出画位置を調整する自動調整装置であって、
幅調整用パターンを前記ＣＲＴ画面上に出画させ、この幅調整用パターンの第１方向の幅が所定幅になるように、かつ、この幅調整用パターンと前記ＣＲＴ画面縁との第１方向の間隔が等しくなるように、この幅調整用パターンの出画幅と出画位置とを調整し、その状態でセンタリング用パターンを出画させて、このセンターリング用パターンの第１方向の計測位置をターゲットの第１方向位置として用いることを特徴とする。
【００４５】
この自動調整装置は、請求項１に記載の調整法を実現するものであり、請求項１と同様の効果を発揮する。
【００４６】
請求項６に記載のＣＲＴ出画位置の自動調整装置は、請求項５に記載のＣＲＴ出画位置の自動調整装置において、更に、前記第１方向に直交する第２方向について得たセンターリング用パターンの第２方向の計測位置をターゲットの第２方向位置として用いることを特徴とする。
【００４７】
この自動調整装置は、請求項２に記載の調整法を実現するものであり、請求項２と同様の効果を発揮する。
【００４８】
請求項７に記載のＣＲＴ出画位置の自動調整装置は、請求項５または６のいずれかに記載のＣＲＴ出画位置の自動調整装置において、前記ＣＲＴ画面が矩形形状であって、前記第１方向が、この矩形形状の上下方向あるいは左右方向であることを特徴とする。
【００４９】
この自動調整装置は、請求項３に記載の調整法を実現するものであり、請求項３と同様の効果を発揮する。
【００５０】
請求項８に記載のＣＲＴ出画位置の自動調整装置は、請求項５から７のいずれかに記載のＣＲＴ出画位置の自動調整装置において、更に、前記ＣＲＴは前記画像移動手段として少なくとも２枚のセンタリングマグネットを備え、前記調整移動装置は前記固定部に前記ＣＲＴを固定した状態で前記センタリングマグネットを回転させることによりＣＲＴ画面上での前記幅調整用パターン、前記センターリング用パターンの出画位置を調整するようにしていることを特徴とする。
【００５１】
この自動調整装置は、請求項４に記載の調整法を実現するものであり、請求項４と同様の効果を発揮する。
【００５２】
なお、請求項５から８に記載したＣＲＴ出画位置の自動調整装置は、請求項１から４に記載のＣＲＴ出画位置の調整法を具体化した装置であるが、これらの装置はこれらに限られるものではなく、請求項１から４に記載のＣＲＴ出画位置の調整法を実施できるものであれば、如何なるものであっても良い事は言うまでもない。
【００５３】
【発明の実施の形態】
以下、添付図を参照しつつ、本発明の最良の実施の形態について説明する。
【００５４】
図１（ａ）、（ｂ）、（ｃ）は本発明によるＣＲＴ出画位置の調整法の一例を示す概念図である。
【００５５】
図１において、Ｆは、調整対象となるＣＲＴの矩形形状のＣＲＴ画面であり、ＦｕはそのＣＲＴ画面上縁、ＦｄはＣＲＴ画面下縁である。ＰＶは、このＣＲＴ画面Ｆに表示された縦幅調整用パターンであり、本発明において、ターゲットの位置を求めるために用いられる画像パターンである幅調整用パターンのうち、特に、画面Ｆの縦方向、つまり、上下方向の位置を求めるためのパターンである。この例では、このＣＲＴ画面Ｆの上下方向が第１方向となっている。
【００５６】
ＡはＣＲＴ画面上縁Ｆｕと縦幅調整用パターンＰＶの間の上下方向、つまり、第１方向の間隔、Ａ′はＣＲＴ画面下縁Ｆｄと縦幅調整用パターンＰＶの間の第１方向の間隔、Ｂは縦幅調整用パターンＰＶの上下方向、つまり、第１方向の幅である。
【００５７】
まず、ＣＲＴ画面Ｆに縦幅調整用パターンＰＶを表示させ、その第１方向の幅Ｂが所定の幅になるように調整する。これは、いずれのＣＲＴの調整の場合にも、出画ゲインのバラツキの影響が等しく現れるようにして、調整の均一性を保つためである。
【００５８】
すると、図１（ａ）に示すように、ＣＲＴ画面Ｆに縦幅調整用パターンＰＶが表示され、その第１方向の間隔Ａ、Ａ′は等しくない。
【００５９】
ついで、図１（ｂ）に示すように、この第１方向の間隔Ａ、Ａ′が等しくなるように、センタリングマグネットなどの画像移動手段を用いて、縦幅調整用パターンＰＶの出画位置を調整する。画像移動手段がセンタリングマグネットである場合の、その詳細な方法は後述する。
【００６０】
この状態で、図１（ｃ）に示すように、縦幅調整用パターンＰＶの出画ゲインを小さくして、その画像を小さくし、第１方向用のセンタリング用パターンＣＶを表示させ、この状態を後述するように測定して、このセンタリング用パターンＣＶの第１方向の測定位置ｙ１を求める。ここでは、測定位置ｙ１の得られたセンタリング用パターンＣＶを、図ではＣＶ（ｙ１）と示している。
【００６１】
この方法は、ＣＲＴ画面Ｆの上下方向、第１方向だけについて、つまり、一回の調整において一方向だけの調整を行うようにしているので、調整が簡単にできる。
【００６２】
図２（ａ）、（ｂ）、（ｃ）は本発明によるＣＲＴ出画位置の調整法の他例を示す概念図である。これより、同じ部分については、同じ符号を付して重複説明を省略する。
【００６３】
この方法では、図１に比べ、調整対象とする同じＣＲＴのＣＲＴ画面Ｆの左右方向、第１方向に直交する第２方向について同様の調整を行う点が異なる。
【００６４】
つまり、ＦｌはＣＲＴ画面左縁、ＦｒはＣＲＴ画面右縁、ＰＨは横幅調整用パターンであり、画面Ｆの左右方向つまり第２方向用の幅調整用パターンである。ＣはＣＲＴ画面左縁Ｆｌと横幅調整用パターンＰＨの間の左右方向、つまり、第２方向の間隔、Ｃ′はＣＲＴ画面右縁Ｆｒと横幅調整用パターンＰＨの間の第２方向の間隔、Ｄは横幅調整用パターンＰＨの左右方向、つまり、第２方向の幅である。
【００６５】
この調整法においても、図１と同様に、まず、横幅調整用パターンＰＨを表示させ、その第２方向の幅Ｄを所定幅とし（図２（ａ））、第２方向の間隔Ｃ、Ｃ′が等しくなるように横幅調整用パターンＰＨの出画位置を調整し（図２（ｂ））、第２方向用のセンタリング用パターンＣＨを表示させ、このセンタリング用パターンＣＨの第２方向の測定位置ｘ１を求める。
【００６６】
図３（ａ）は、こうして得られたセンタリング用パターンＣＶの第１方向の測定位置ｙ１、センタリング用パターンＣＨの第２方向の測定位置ｘ１を、ターゲットの第１、第２方向の位置、つまり、この例では、ＣＲＴ画面Ｆについての上下と左右方向の位置として用いている様子を示している。
【００６７】
図３（ｂ）に示すように、このようにして得られたターゲットＴ（ｘ１、ｙ１）に、センタリング用パターンＣＡを一致させるようにすると、このセンタリング用パターンＣＡの位置を基準として表示される画像パターンＰＡは、ＣＲＴ画面Ｆ上に均等に、つまり、上下方向（第１方向）の画像パターンＰＡとＣＲＴ画面Ｆ縁との間隔Ａが等しくなるように、かつ、左右方向（第２方向）の画像パターンＰＡとＣＲＴ画面Ｆ縁との間隔Ｃが等しくなるように表示される。
【００６８】
このようにして、本発明の調整法によれば、画像パターンの出画ゲインにバラツキがある場合でも、ターゲットの位置を、そのバラツキを考慮した位置とすることで、簡単にかつ効率的に画像パターンがＣＲＴ画面上に均等に表示されるように調整することができる。
【００６９】
また、ＣＲＴ画面は、通常平面であるので、このように、互いに直交する方向の出画ゲインのバラツキの調整ができれば、センターリング用パターンをターゲットに一致させることで、画像パターンは、ＣＲＴ画面上に均等に表示されるようになる。さらに、第１方向と第２方向は互いに直交しているので、第１方向の調整が済んだ状態で、第１方向に影響を与えずに、第２方向の調整だけを行うことができ、調整が簡単である。
【００７０】
なお、この例では、第１方向は、矩形形状のＣＲＴ画面Ｆの上下方向としたが、もちろん、最初に左右方向に調整を行ってもよい。また、ＣＲＴの形状、使用態様に応じて、この第１方向はＣＲＴ画面の上下、左右に限られず、斜め方向なども含まれるものである。
【００７１】
図４（ａ）は本発明によるＣＲＴ出画位置の自動調整装置のブロック図、（ｂ）はその装置へのＣＲＴの取り付け状態を示す側面図である。
【００７２】
この自動調整装置２０は、上述したＣＲＴ出画位置の調整法を自動的に行うことができるもので、調整対象とするＣＲＴは、画像移動手段として１組のセンタリングマグネットＭａ、Ｍｂが備えられているものである。
【００７３】
自動調整装置２０は、ＣＲＴ画面Ｆをテレビカメラ１０で撮影し、撮影された画像情報に基づいて、マグネット回転装置１４によりセンタリングマグネットＭａ、Ｍｂを回転させて、出画位置を自動調整するものである。
【００７４】
パターン生成部１３は、ＣＲＴに所定の画像パターンを表示させるための信号を生成し、ＣＲＴに対して出力する。画像処理部１１は、テレビカメラ１０により撮影されたＣＲＴ画面の画像情報に所定の解析処理を行って、画像パターンの出画位置を求めたり、上述の調整法においてターゲットの位置を測定したりすることができる。
【００７５】
コントローラ１２は、画像処理部１１の出力に基づいて、マグネット回転装置１４を制御して、所定の方向、角度だけ、センタリングマグネットＭａ、Ｍｂを個々にもしくは一体的に回転させる。また、１５はＣＲＴを着脱可能に固定保持する固定部、１６は装置全体を載せている調整台である。このような装置２０を使用することで、本発明による出画位置の調整法を自動的に行うことができる。
【００７６】
なお、マグネット回転装置１４は、ＣＲＴに備えられた画像移動手段であるセンタリングマグネットＭａ、Ｍｂを回転させて、ＣＲＴ画面Ｆ上の画像パターンの出画位置を移動させるもので、調整移動手段を構成している。
【００７７】
図４（ｂ）は、ＣＲＴを調整装置２０にセットした状態を示したものであり、偏向ヨークＹを備えたＣＲＴは、ＣＲＴ画面Ｆを上向にしてセットされ、この上方にはテレビカメラ１０が対向して取り付けられている。偏向ヨークＹに回転可能に取り付けられたセンタリングマグネットＭａ、Ｍｂは、マグネット回転装置１４により回転駆動される。
【００７８】
この図においては、出画位置を調整するＣＲＴとして、偏平ブラウン管を示したが、偏平型でない通常のブラウン管の場合も、テレビカメラ１０をＣＲＴ表示画面に対向する位置、即ち、横方向に取り付けることにより、同様にして、調整が可能であることもちろんである。
【００７９】
図５は、本発明によるＣＲＴ出画位置の調整法の一例を示すフローチャート、図６は、その続きを示すフローチャート、図７は、本発明によるＣＲＴ出画位置の調整法の他例を示すフローチャート、図８は、図５、６、７のフローチャートの説明でで用いるセンタリングマグネットの回転態様の例を示す概念図である。
【００８０】
これらのフローチャートと、センタリングマグネットの回転態様の図を用いて、図１から図３で説明した本発明の調整法について、より詳しく説明する。
【００８１】
まず、図５、６、８を参照しながら、図１に対応する出画位置の縦調整、つまり、第１方向の調整について説明する。
【００８２】
第１に、センターリング用パターンＣＡをＣＲＴ画面Ｆ上に表示させ（Ｓ１）、マグネットの一方だけ、ここでは、マグネットＭａだけを一回転させ、センターリング用パターンＣＡの縦座標の最大位置、最小位置に対応したマグネットＭａの角度位置を測定し記憶する（Ｓ２からＳ４）。これを、他方のマグネットＭｂについても行う（Ｓ５からＳ７）。
【００８３】
ついで、記憶したそれぞれの最大位置に対応した角度位置になるようにマグネットＭａ、Ｍｂをそれぞれ回転させ（Ｓ８）、縦幅調整用パターンＰＶを表示させ、その縦方向の幅が所定幅Ｂになるように出画ゲインを調整する（Ｓ９、図１（ａ））。この時のマグネットＭａ、Ｍｂのベクトルの向きを図８（ａ）に示している。
【００８４】
ついで、縦幅寸法調整、つまり、縦幅調整用パターンＰＶとＣＲＴ画面Ｆ間の縦方向の間隔Ａ、Ａ′が等しくなるように調整を行う（Ｓ１０からＳ１５、図１（ｂ））。
【００８５】
具体的には、間隔Ａが間隔Ａ′より大きい場合は、マグネットＭａ、Ｍｂの合力ベクトルを減らすように、つまり、図８（ｂ）に示すように、マグネットＭａ、Ｍｂのベクトルの向きが点線から実線になるようにそれぞれを矢印の方向に回転させる。間隔Ａが間隔Ａ′より小さい場合は、マグネットＭａ、Ｍｂの合力ベクトルを増やすように、つまり、図８（ｃ）に示すように、マグネットＭａ、Ｍｂのベクトルの向きが点線から実線になるようにそれぞれを矢印の方向に回転させる。間隔Ａが間隔Ａ′と等しくなると調整を終了する。
【００８６】
ついで、センターリング用パターンＣＶをＣＲＴ画面Ｆ上に表示させ、その位置を測定し、測定した縦座標を、ターゲットの縦ターゲット位置ｙ１とする（Ｓ１６、Ｓ１７、図１（ｃ））。
【００８７】
次に、図７、８を参照しながら、図２に対応する出画位置の横調整、つまり、第２方向の調整について説明する。
【００８８】
この場合、各マグネットの最大位置、最小位置の測定はすでに済んでいるとして、これを省略し、マグネットＭａについては、記憶した最大位置に対応した角度位置に、Ｍｂについては記憶した最小位置に対応した角度位置になるように、それぞれを回転させ（Ｓ２１）、横幅調整用パターンＰＨを表示させ、その横方向の幅が所定幅Ｄになるように出画ゲインを調整する（Ｓ２２、図２（ａ））。この時のマグネットＭａ、Ｍｂのベクトルの向きを図８（ｄ）に示している。
【００８９】
ついで、横幅寸法調整、つまり、横幅調整用パターンＰＨとＣＲＴ画面Ｆ間の横方向の間隔Ｃ、Ｃ′が等しくなるように調整を行う（Ｓ２３からＳ２８、図２（ｂ））。
【００９０】
具体的には、間隔Ｃが間隔Ｃ′より大きい場合は、マグネットＭａ、Ｍｂの合力ベクトルを左へ、つまり、図８（ｅ）に示すように、マグネットＭａ、Ｍｂのベクトルの向きが点線から実線になるようにそれぞれを矢印の方向に回転させる。間隔Ｃが間隔Ｃ′より小さい場合は、マグネットＭａ、Ｍｂの合力ベクトルを右へ、つまり、図８（ｆ）に示すように、マグネットＭａ、Ｍｂのベクトルの向きが点線から実線になるようにそれぞれを矢印の方向に回転させる。間隔Ｃが間隔Ｃ′と等しくなると調整を終了する。
【００９１】
次いで、センターリング用パターンＣＨをＣＲＴ画面Ｆ上に表示させ、その位置を測定し、測定した横座標を、ターゲットの横ターゲット位置ｘ１とする（Ｓ２９、Ｓ３０、図２（ｃ））。
【００９２】
このようにして、一定の手順に従って、簡単に効率的に出画ゲインのバラツキを考慮したターゲットＴの位置を求める事ができる。
【００９３】
【発明の効果】
請求項１に記載のＣＲＴ出画位置の調整法によれば、出画ゲインのバラツキを取り込んだターゲットの第１位方向位置が得られ、これを用いる事で、この第１方向については、画像パターンがＣＲＴ画面上に均等に表示されるように調整でき、また、一回の調整において一方向だけの調整を行うので、調整が簡単にできる。
【００９４】
請求項２に記載のＣＲＴ出画位置の調整法によれば、請求項１に記載のＣＲＴ出画位置の調整法の効果に加え、第１方向に直交する第２方向についても同様にしてターゲットの第１方向位置を求めるので、画像パターンがＣＲＴ画面上に均等に表示されるように調整できる。また、第１方向と第２方向は互いに直交しているので、第１方向の調整が済んだ状態で、第１方向に影響を与えずに、第２方向の調整だけを行うことができ、調整が簡単である。
【００９５】
請求項３に記載のＣＲＴ出画位置の調整法によれば、請求項１または２のいずれかに記載のＣＲＴ出画位置の調整法の効果に加え、第１方向をＣＲＴ画面の矩形形状に合わせて具体的に規定したもので、請求項１、２の調整法がより簡単になる。
【００９６】
請求項４に記載のＣＲＴ出画位置の調整法によれば、請求項１から３のいずれかに記載のＣＲＴ出画位置の調整法の効果に加え、画像パターンの出画位置を移動させる具体的方法として通常のセンタリングマグネットを規定したので、通常のＣＲＴにおいても同様の効果を発揮する。
【００９７】
請求項５に記載のＣＲＴ出画位置の自動調整装置によれば、請求項１に記載の調整法を実現するので、請求項１と同様の効果を発揮する。
【００９８】
請求項６に記載のＣＲＴ出画位置の自動調整装置によれば、請求項５に記載のＣＲＴ出画位置の自動調整装置の効果に加え、請求項２に記載の調整法を実現するので、請求項２と同様の効果を発揮する。
【００９９】
請求項７に記載のＣＲＴ出画位置の自動調整装置によれば、請求項５または６のいずれかに記載のＣＲＴ出画位置の自動調整装置の効果に加え、請求項３に記載の調整法を実現するので、請求項３と同様の効果を発揮する。
【０１００】
請求項８に記載のＣＲＴ出画位置の自動調整装置によれば、請求項５から７のいずれかに記載のＣＲＴ出画位置の自動調整装置の効果に加え、請求項４に記載の調整法を実現するので、請求項４と同様の効果を発揮する。
【図面の簡単な説明】
【図１】（ａ）、（ｂ）、（ｃ）は本発明によるＣＲＴ出画位置の調整法の一例を示す概念図
【図２】（ａ）、（ｂ）、（ｃ）は本発明によるＣＲＴ出画位置の調整法の他例を示す概念図
【図３】（ａ）、（ｂ）は、図１、２の方法によって得られたターゲットの位置についての概念図
【図４】（ａ）は本発明によるＣＲＴ出画位置の自動調整装置のブロック図、（ｂ）はその装置へのＣＲＴの取り付け状態を示す側面図
【図５】本発明によるＣＲＴ出画位置の調整法の一例を示すフローチャート
【図６】図５の続きを示すフローチャート
【図７】本発明によるＣＲＴ出画位置の調整法の他例を示すフローチャート
【図８】図５、６、７で用いるセンタリングマグネットの回転態様の例を示す概念図
【図９】センタリングマグネットを備えた偏平ブラウン管の一例を示す図
【図１０】偏平ブラウン管内の電子ビームの動きを模式的に示す図
【図１１】センタリングマグネットにより、ＣＲＴ画面上の画像に合ベクトルが作用する様子を立体的に示す図
【図１２】センタリングマグネットにより、ＣＲＴ画面上の画像に合ベクトルが作用する様子を平面的に示す図
【図１３】従来のＣＲＴ出画位置の調整法における出画ゲインの影響を説明する概念図で、（ａ）はＣＲＴ画面上のターゲットの位置、（ｂ）は設計上の画像パターン、（ｃ）はＣＲＴ画面に表示したときの画像パターン、（ｄ）はセンタリング用パターンをターゲットに一致させたときの画像パターンのＣＲＴ画面上の表示状態をそれぞれ示す。
【符号の説明】
１０            テレビカメラ
１１            画像処理部
１２            コントローラ
１３            パターン生成部
１４            マグネット回転装置（調整移動装置）
１５            固定部
１６            調整台
２０            ＣＲＴ出画位置の自動調整装置
Ａ、Ａ′      第１方向の間隔
Ｂ            第１方向の幅
Ｃ、Ｃ′      第２方向の間隔
ＣＶ、ＣＨ    センタリング用パターン
Ｄ            第２方向の幅
Ｆ            ＣＲＴ画面
Ｆｕ、Ｆｄ、Ｆｒ、Ｆｌ    ＣＲＴ画面縁
Ｐ０、ＰＡ    画像パターン
Ｍａ、Ｍｂ    センタリングマグネット（画像移動手段）
ＰＶ、ＰＨ    幅調整用パターン
Ｔ            ターゲット
ｘ１          第２方向の計測位置
ｘ１          第２方向位置
ｙ１          第１方向の計測位置
ｙ１          第１方向位置
【図１】
0003633427.tif 000002
【図２】
0003633427.tif 000003
【図３】
0003633427.tif 000004
【図４】
0003633427.tif 000005
【図５】
0003633427.tif 000006
【図６】
0003633427.tif 000007
【図７】
0003633427.tif 000008
【図８】
0003633427.tif 000009
【図９】
0003633427.tif 000010
【図１０】
0003633427.tif 000011
【図１１】
0003633427.tif 000012
【図１２】
0003633427.tif 000013
【図１３】
0003633427.tif 000014